(57)【要約】【課題】組立性の向上，内部での実装面積の拡大を実現し、さらに、イヤホンを通電性を持つ基材に実装可能とするものである。【解決手段】シャーシ１８ａと、これと一体でトップカバー１７に平行なシャーシ１８ｂとが内蔵され、このシャーシ１８ｂの取付孔１９に、イヤホンラバー１３を介して、図示しないイヤホンのイヤホンコネクタ１１が取り付けられている。イヤホンコネクタ１１のケーブル１２はシャーシ１８ａの基板に実装されたコネクタ２０に接続され、イヤホンコネクタ１１がこの基板の回路と接続されている。このようにシャーシ１８ｂに取り付けられたイヤホンコネクタ１１は、トップカバー１７の内側からこのトップカバー１７の取付孔１７ａを通して外部に突出し、その突出部分にイヤホンゴム１４やイヤプレート１６が嵌め込まれ、さらに、金具１５がねじ込まれて、トップカバー１７がトップカバー１７に固定される。【選択図】図２
2007274129.tif 000002
【特許請求の範囲】
【請求項１】
イヤホンコネクタを有し、イヤホンを接続可能とした携帯無線機において、
ケースに内蔵のシャーシに該イヤホンコネクタを実装する手段を設け、
該シャーシに実装された該イヤホンコネクタがケースに取り付けられていることを特徴とする携帯無線機。
【請求項２】
請求項１において、
前記イヤホンコネクタは前記シャーシに設けられた取付孔に嵌め込まれて実装され、前記イヤホンコネクタの外周面の該取付孔への嵌め込み部分に絶縁性のイヤホンラバーを設けたことを特徴とする携帯無線機。
【発明の詳細な説明】
【技術分野】
【０００１】
本発明は、携帯無線機に係り、特に、携帯無線機におけるイヤホンコネクタの実装構造に関する。
【背景技術】
【０００２】
ケースの外部からユーザが使用する部品を備えた携帯無線機では、かかる部品はケースに取り付けられている（例えば、特許文献１参照）。
【０００３】
このことは、イヤホンが設けられた携帯無線機についても同様であり、イヤホンを接続するためのイヤホンコネクタは、ケースに取り付けられている。以下、かかる携帯無線機の従来例について説明する。
【０００４】
図３に従来の携帯無線機のイヤホンコネクタの実装構造の一例を示す分解斜視図であって、１はトップカバー、１ａは取付孔、２はイヤホンコネクタ、２ａはねじ、３はケーブル、４はＯリング、４はイヤプレート、６はイヤホンゴム、６ａは差込部材、７は金具、７ａはねじ、８はシャーシ、９はコネクタ、１０は基板である。
【０００５】
同図において、ケーブル３が接続されたイヤホンコネクタ２が、これにＯリング４が取り付けられて、携帯無線機のケースの一部をなすトップカバー１の内側からこのトップカバー１の取付孔１ａに挿入される。これにより、イヤホンコネクタ２が取付孔１ａから上部に突出する。そして、イヤホンコネクタ２のこの取付孔１ａから突出した部分の外面にねじ２ａが切られており、この部分にイヤホンゴム６とイヤプレート５が嵌め込まれ、さらに、内面にねじ７ａが切られている金具７をこのイヤホンコネクタ２のねじ２ａに捩じ込むことにより、このイヤホンコネクタ２が、イヤホンゴム６とともに、トップカバー１に固定して実装される。
【０００６】
また、基板１０が取り付けられたシャーシ８が図示しないケース内に内蔵され、また、このケースにトップカバー１が取り付けられる。この基板１０にコネクタ９が設けられており、このコネクタ９にイヤホンコネクタ２からのケーブル３を接続することにより、イヤホンコネクタ２が基板１０上の回路（図示せず）に接続される。図示しないイヤホンをトップカバー１に取り付けられたイヤホンコネクタ２に接続することにより、基板１０上の回路で処理されて音声信号がイヤホンコネクタ２を介してイヤホンに供給され、音声が出力される。
【０００７】
なお、イヤホンがイヤホンコネクタ２に接続されていないときには、イヤホンゴム６の差込部材６ａをイヤホンコネクタ２に差し込むことができ、これにより、イヤホンコネクタ２の防水，防塵が可能となる。
【特許文献１】特開２００２ー２７１０４７
【発明の開示】
【発明が解決しようとする課題】
【０００８】
ところで、上記従来の携帯無線機において、イヤホンコネクタ２をトップカバー１に実装するときには、イヤホンコネクタ２をケースの一部をなすトップカバーに実装した状態でそのケーブル３をシャーシ８の基板１０上のコネクタ９に接続しなければならないため、この接続作業がしにくく、携帯無線機の組立がしずらいという問題があった。
【０００９】
また、イヤホンコネクタ２をトップカバー１の内側に実装しているため、基板をこのイヤホンコネクタ２から離す必要があり、この分無線機内部の基板の実装面積が狭くなるという問題もある、
さらに、イヤホンコネクタ２のケーブル３が引き出される箇所は電気信号線が通っており、シャーシなどの通電性を持つ材料に実装することができない問題があった。
【００１０】
本発明は、かかる問題を解消し、組立性の向上，内部での実装面積の拡大を実現し、さらに、イヤホンを通電性を持つ基材に実装可能とした携帯無線機を提供することにある。
【課題を解決するための手段】
【００１１】
上記目的を達成するために、本発明は、イヤホンコネクタを有し、イヤホンを接続可能とした携帯無線機であって、ケースに内蔵のシャーシに該イヤホンコネクタを実装する手段を設け、該シャーシに実装された該イヤホンコネクタがケースに取り付けられているものである。
【００１２】
また、本発明は、上記イヤホンコネクタが上記シャーシに設けられた取付孔に嵌め込まれて実装され、上記イヤホンの外周面の該取付孔への嵌め込み部分に絶縁性のイヤホンラバーを設けたものである。
【発明の効果】
【００１３】
本発明によると、シャーシにイヤホンコネクタを実装することから、組立性が向上し、シャーシ内の基板の実装面積の拡大するとともに、イヤホンコネクタのシャーシへの取付部分にイヤホンラバーを設けることにより、携帯無線機内での防水が確保でき、イヤホンコネクタを通電性の材料からなるシャーシにも実装可能になる。
【発明を実施するための最良の形態】
【００１４】
以下、本発明の実施形態を図面を用いて説明する。
【００１５】
図１は本発明による携帯無線機の一実施形態を示す縦断図、図２は図１に示す携帯無線機の要部を拡大して示す縦断面図であって、１１はイヤホンコネクタ、１２はケーブル、１３はイヤホンラバー、１４はイヤホンゴム、１４ａは差込部材、１５は金具、１６はイヤプレート、１７はトップカバー、１７ａは取付孔、１８ａ，１８ｂはシャーシ、１９は取付孔、２０はコネクタである。
【００１６】
図１及び図２において、携帯無線機のケース内には、このケースの長手方向に沿う縦長のシャーシ１８ａとこれから垂直方向に延長したシャーシ１８ｂとが一体となったシャーシが内蔵されており、このシャーシ１８ｂにイヤホンコネクタ１１の貫通した取付孔１９が設けられている。
【００１７】
一方、イヤホンコネクタ１１はイヤホン（図示せず）を接続する部分（以下、イヤホン接続部という）とそれ以外の部分（以下、取付部という）とからなり、この取付部の外周にイヤホンラバー１３がこの取付部を覆うように取り付けられている。この取付部がシャーシ１８ｂの取付孔１９に嵌め込まれている。従って、イヤホンコネクタ１１は、電気的に絶縁性のイヤホンラバー１３を介してシャーシ１８ｂに取り付けられている。シャーシ１８ｂは、トップカバー１７に平行に、かつこのトップカバー１７内に嵌め込まれて配置されている。
【００１８】
このように、シャーシ１８ｂに取り付けられたイヤホンコネクタ１１の外周面にねじが切られたイヤホン接続部がケースの一部をなすトップカバー１７の内部からこのトップカバー１７の貫通した取付孔１７ａを通して上部に突出するように、この取付孔１７ａに差し込まれ、イヤホンコネクタ１１でのこの外部に突出したイヤホン接続部にイヤホンゴム１４とイヤプレート１６を嵌め込み、さらに、内面にねじが切られた金具１５を捩じ込むことにより、イヤホンコネクタ１１がトップカバー１７に固定して取り付けられる。イヤホンコネクタ１１に接続されているケーブル１２は、シャーシ１８ａに設けられている基板に実装されたコネクタ２０に接続される。
【００１９】
図示しないイヤホンをトップカバー１７に取り付けられたイヤホンコネクタ１１に接続することにより、シャシ１８ａの基板上の回路で処理されて音声信号がコネクタ２０からイヤホンコネクタ１１を介してイヤホンに供給され、音声が出力される。
【００２０】
なお、イヤホンがイヤホンコネクタ１１に接続されていないときには、イヤホンゴム１４の差込部材１４ａをイヤホンコネクタ１１のイヤホン接続部に差し込むことができ、これにより、イヤホンコネクタ１１の防水，防塵が可能となる。
【００２１】
以上のように、この実施形態では、シャーシ１８ａ，１８ｂに基板が設けられており、イヤホンコネクタ１１がイヤホンラバー１３を介してシャーシ１８ｂの取付孔１９に嵌め込まれて取り付けられているので、イヤホンコネクタ１１をトップカバー１７に取り付ける前にイヤホンコネクタ１１のケーブル１２をシャーシ１８ａの基板上のコネクタ２０に接続することができ、組立や分解が容易になって組立性の向上が図れる。
【００２２】
また、ケースの長手方向に沿うシャーシ１８ａから延長してトップカバー１７に沿い、このトップカバー１７に固定するイヤホンコネクタ１１が取り付けられたシャーシ１８ｂを設けたシャーシ構造をなしているので、シャーシはトップカバー１７内まで設けることができて、シャーシでの基板実装面積が拡大した構造とすることができる。
【００２３】
さらに、シャーシ１８ｂとイヤホンコネクタ１１との間に絶縁物のイヤホンラバー１３を設けているので、通電材料のシャーシ１８ｂにイヤホンコネクタ１１を実装することができて、シャーシとの間の絶縁性を確保することができるし、ケース内部での防水も確保できる。
【図面の簡単な説明】
【００２４】
【図１】本発明による携帯無線機の一実施形態を示す縦断図である。
【図２】図１に示す携帯無線機の要部を拡大して示す縦断面図である。
【図３】従来の携帯無線機のイヤホンコネクタの実装構造の一例を示す分解斜視図である。
【符号の説明】
【００２５】
１１  イヤホンコネクタ
１２  ケーブル
１３  イヤホンラバー
１４  イヤホンゴム
１４ａ  差込部材
１５  金具
１６  イヤプレート
１７  トップカバー
１７ａ  取付孔
１８ａ，１８ｂ  シャーシ
１９  取付孔
２０  コネクタ
【図１】
2007274129.tif 000003
【図２】
2007274129.tif 000004
【図３】
2007274129.tif 000005